(57)【要約】【課題】  被記録媒体であるＣＤを装着したトレイの搬送精度の向上。【解決手段】  被記録媒体である記録シートを搬送する第１の搬送手段と、記録シートとは形態の異なる被記録媒体を保持する保持手段と、保持手段を搬送する専用の第２の搬送手段を有する。【選択図】  図１
2006192596.tif 000002
【特許請求の範囲】
【請求項１】
被記録媒体へ記録を行う記録ヘッドと、前記被記録媒体である記録シートを搬送する第１の搬送手段と、前記記録シートとは形態の異なる被記録媒体を保持する保持手段と、該保持手段を搬送する専用の第２の搬送手段を有することを特徴とする記録装置。
【請求項２】
前記保持手段の搬送経路は前記記録シートの搬送経路と一部同一の搬送経路であることを特徴とする請求項１に記載の記録装置。
【請求項３】
前記第２の搬送手段は前記第１の搬送手段の一部を兼用することを特徴とする請求項１又は請求項２に記載の記録装置。
【請求項４】
前記第１の搬送手段と前記第２の搬送手段は同一の搬送ローラを有し、該搬送ローラの異なる外径部分でそれぞれ搬送することを特徴とする請求項１から請求項３のいずれかの項に記載の記録装置。
【請求項５】
前記保持部材は記録装置の排紙口側より挿入され、一端、上流側へ搬送された後、スイッチバックされ、記録を行いながら搬送されることを特徴とする請求項１から請求項４のいずれかの項に記載の記録装置。
【請求項６】
前記第２の搬送手段は前記第１の搬送手段の下流側に配置された排紙ローラであることを特徴とする請求項１から請求項５のいずれかの項に記載の記録装置。
【請求項７】
前記保持部材は薄板形状部材であることを特徴とする請求項１から請求項６のいずれかの項に記載の記録装置。
【請求項８】
前記保持部材に保持される前記被記録媒体は光記録媒体であることを特徴とする請求項１から請求項７のいずれかの項に記載の記録装置。
【請求項９】
被記録媒体へ記録を行う記録ヘッドと、給紙装置によって給紙された被記録媒体である記録シートを搬送する第１の搬送経路を用いる第１の搬送手段と、前記記録シートよりも厚さが厚い被記録媒体を搬送することが可能な第２の搬送経路を用いる専用の第２の搬送手段を有することを特徴とする記録装置。
【請求項１０】
前記厚い被記録媒体の搬送経路は前記記録シートの搬送経路と一部同一の搬送経路であることを特徴とする請求項９に記載の記録装置。
【請求項１１】
前記第２の搬送手段は前記第１の搬送手段の一部を兼用することを特徴とする請求項９又は請求項１０に記載の記録装置。
【請求項１２】
前記厚い被記録媒体は記録装置の排紙口側より挿入され、一端、上流側へ搬送された後、スイッチバックされ、記録を行いながら搬送されることを特徴とする請求項９から請求項１１のいずれかの項に記載の記録装置。
【請求項１３】
前記第２の搬送手段は前記第１の搬送手段の下流側に配置された排紙ローラであることを特徴とする請求項９から請求項１２のいずれかの項に記載の記録装置。
【請求項１４】
前記記録ヘッドはインクの飛翔液滴を吐出する吐出口をもったインクジェットヘッドであることを特徴とする請求項１から請求項１３のいずれかの項に記載の記録装置。
【請求項１５】
前記記録ヘッドは熱エネルギーを用いてインクを吐出して記録を行うヘッドであって、インクに与える熱エネルギーを発生するための電気熱エネルギー変換体を備えていることを特徴とする請求項１から請求項１４のいずれかの項に記載の記録装置。
【発明の詳細な説明】
【技術分野】
【０００１】
本発明は記録装置において、光記録媒体を装着した保持手段あるいは厚さが厚い記録シートの搬送に関するものである。
【背景技術】
【０００２】
ここではインクジェット方式による記録装置を従来例として説明する。
【０００３】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点があり、急速に普及が拡大している。
【０００４】
また、記録用インクや被記録材料の開発が進み、特に被記録材料としても普通紙以外に光沢紙、光沢フィルムや円盤状の媒体への記録、例えばＣＤ（コンパクトディスク）表面への文字や図柄のプリント等の要求が高まってきている。
【０００５】
ＣＤに記録内容を明示するためのタイトルやメモを記載する方法として非記録面にラベルシールを貼る方法が一般的である。
【０００６】
また、最近ではサインペンやフェルトペン等で直接記載できるように印字領域が形成されたものもある。
【０００７】
また、ＣＤにおいては印刷領域に記載したい内容をパーソナルコンピュータを用いて印刷する装置が知られており、特に最近ではパーソナル向けのインクジェットプリンタにおいてもＣＤ印刷機能が備わったものがある。
【０００８】
このような装置においては、被記録媒体であるＣＤを保持部材であるトレイへ装着し、プリンタ本体へ装着されたトレイガイドの案内部にトレイを挿入し所定位置へセットした後、トレイは排紙ローラによって給紙され一端、上流側へ搬送された後、スイッチバックされ、搬送ローラ対によって搬送されて、記録ヘッドによって印刷を行うものである。
【０００９】
また、近年、ボード紙（厚さ１〜２ｍｍ程度）やファインアート紙（厚さ０．３〜１ｍｍ程度）への印刷の要求が高まっており、このような厚紙も上述のトレイ同様に排紙口から給紙され、装置内に形成された略直線搬送路に沿って案内され、搬送ローラ対で搬送されて記録が行われるものである。
【００１０】
又、別の従来例としては、特許文献１をあげること出来る。
【特許文献１】特開２００４−０４２３９２号公報
【発明の開示】
【発明が解決しようとする課題】
【００１１】
上述従来例に示す装置において、被記録媒体であるＣＤを保持するトレイはＡＢＳ、ＰＳ等の軟質樹脂で形成されており、トレイを狭持して搬送する搬送ローラ対の特に駆動ローラにおいては、通常の記録シート搬送時に滑りの発生がなく高精度で搬送するために、金属の上に硬質セラミックをコートして表面を高摩擦係数に形成している。
【００１２】
以上の構成で搬送ローラ対に狭持されたトレイが斜行した場合や、ＣＤ印刷の耐久回数が増えるにしたがって、トレイの表面は駆動ローラ表面のセラミック層で傷付けられて劣化し、駆動ローラ表面のセラミック層はトレイの削れた樹脂によって目詰まりを起してしまい、トレイの搬送精度を著しく悪化させてしまうものであった。
【００１３】
また、駆動ローラが目詰まりしてしまうと通常の記録シートの搬送においても斜行や搬送不良が発生して、記録画像が大きく乱れてしまったり、ジャムが発生してしまうものであった。
【００１４】
また、ボード紙やファインアート紙等の厚紙は搬送ローラ対によって略直線的に搬送を行うが、駆動ローラ径は通常の記録シート（厚さ約０．３以下）の搬送に最適化しているため、厚紙の搬送においては搬送量が大きくなり、記録の際に印字行間で白スジが発生し易い傾向となってしまっていた。
【課題を解決するための手段】
【００１５】
本発明は被記録媒体であるＣＤを装着したトレイの搬送精度の向上を目的とし、被記録媒体へ記録を行う記録ヘッドと、被記録媒体である記録シートを搬送する第１の搬送手段と、記録シートとは形態の異なる被記録媒体を保持する保持手段と、保持手段を搬送する専用の第２の搬送手段を有するようにしたものである。
【００１６】
また、保持手段の搬送経路は記録シートの搬送経路と一部同一の搬送経路であるようにしたものである。
【００１７】
また、第２の搬送手段は第１の搬送手段の一部を兼用するようにしたものである。
【００１８】
また、第１の搬送手段と第２の搬送手段は同一の搬送ローラを有し、搬送ローラの異なる外径部分でそれぞれ搬送するようにしたものである。
【００１９】
また、保持部材は記録装置の排紙口側より挿入され、一端、上流側へ搬送された後、スイッチバックされ、記録を行いながら搬送されるようにしたものである。
【００２０】
また、第２の搬送手段は第１の搬送手段の下流側に配置された排紙ローラであるようにしたものである。
【００２１】
また、保持部材は薄板形状部材であるようにしたものである。
【００２２】
また、保持部材に保持される被記録媒体は光記録媒体であるようにしたものである。
【００２３】
また、被記録媒体へ記録を行う記録ヘッドと、給紙装置によって給紙された被記録媒体である記録シートを搬送する第１の搬送経路を用いる第１の搬送手段と、記録シートよりも厚さが厚い被記録媒体を搬送することが可能な第２の搬送経路を用いる専用の第２の搬送手段を有するようにしたものである。
【００２４】
また、厚い被記録媒体の搬送経路は記録シートの搬送経路と一部同一の搬送経路であるようにしたものである。
【００２５】
また、第２の搬送手段は第１の搬送手段の一部を兼用するようにしたものである。
【００２６】
また、厚い被記録媒体は記録装置の排紙口側より挿入され、一端、上流側へ搬送された後、スイッチバックされ、記録を行いながら搬送されるようにしたものである。
【００２７】
また、第２の搬送手段は第１の搬送手段の下流側に配置された排紙ローラであるようにしたものである。
【００２８】
また、記録ヘッドはインクの飛翔液滴を吐出する吐出口をもったインクジェットヘッドであるようにしたものである。
【００２９】
また、記録ヘッドは熱エネルギーを用いてインクを吐出して記録を行うヘッドであって、インクに与える熱エネルギーを発生するための電気熱エネルギー変換体を備えているようにしたものである。
【発明の効果】
【００３０】
以上説明したように、本発明のインクジェット記録装置は、トレイの搬送を記録シートの搬送手段とは別の専用の搬送手段で搬送するようにしたので、トレイの斜行の影響を受けにくく、トレイの搬送耐久回数が増えた場合でも、トレイの搬送精度を悪化させることなく高精度な搬送を行うことができ、高画質、高信頼性が得られる装置とすることができる。
【００３１】
また、搬送ローラー３６の外径に段差を設けて、記録シートとトレイの搬送を同一の搬送ローラー３６で行うようにしたので、部品点数が少なくコストの低い、スペースを多くとらない装置とすることができる。
【００３２】
また、排紙ローラー４１Ａで厚紙を搬送するようにしたものは、排紙ローラー径を厚紙搬送に合わせた最適な径とすることができるため精度の良い搬送ができ、高画質な記録が得られるものである。
【発明を実施するための最良の形態】
【００３３】
（実施例１）
本発明の実施例１を図１、図２を用いて説明する。自動給紙装置を有した記録装置１は、給紙部２、送紙部３、排紙部４、キャリッジ部５、クリーニング部６から構成されている。そこで、これらを項目に分けて概略を順次述べていく。なお、図１は記録装置１の全体構成を示す斜視図、図２は記録装置１の側面からの構成断面図で、図１、２を用いて（Ｉ）給紙部、（II）送紙部、（III）キャリッジ部、（IV）クリーニング部、（Ｖ）排紙部の説明をする。
【００３４】
（Ｉ）給紙部
給紙部２は記録紙Ｐを積載する圧板２１と記録紙Ｐを給紙する給送回転体２２がベース２０に取り付けられる構成となっている。圧板２１には可動サイドガイド２３が移動可能に設けられて、記録紙Ｐの積載位置を規制している。圧板２１はベース２０に結合された回転軸ａを中心に回転可能で、圧板バネ２４により給送回転体２２に付勢される。給送回転体２２と対向する圧板２１の部位には、記録紙Ｐの重送を防止する人工皮等の摩擦係数の大きい材質からなる分離パッド２５が設けられている。さらに、ベースには、記録紙Ｐの一方向の角部を覆い、記録紙Ｐを一枚ずつ分離するための分離爪２６、厚紙等分離爪２６が使えないものを分離するためにベース２０に一体形成された土手部２７、普通紙ポジションでは分離爪２６が作用し、厚紙ポジションでは分離爪２６が作用しないように切り換えるための切り替えレバー２８、圧板２１と給送回転体２２の当接を解除するリリースカム２９、が設けられている。
【００３５】
上記構成において、待機状態ではリリースカム２９が圧板２１を所定位置まで押し下げている。これにより、圧板２１と給送回転体２２の当接は解除される。そして、この状態で搬送ローラー３６の有する駆動力が、ギア等により給送回転体２２及びリリースカム２９に伝達されると、リリースカム２９は圧板２１から離れるので圧板２１は上昇し、給送回転体２２と記録紙Ｐが当接し、給送回転体２２の回転に伴い記録紙Ｐはピックアップされ給紙を開始し、分離爪２６によって一枚ずつ分離されて送紙部３に送られる。給送回転体２２及びリリースカム２９とは記録紙Ｐを送紙部３に送り込むまで回転し、再び記録紙Ｐと給送回転体２２との当接を解除した待機状態となって搬送ローラー３６からの駆動力が切られる。
【００３６】
（II）送紙部
送紙部３は記録紙Ｐを搬送する搬送ローラ３６とＰＥセンサー３２を有している。搬送ローラー３６には従動するピンチローラー３７が当接して設けられている。
【００３７】
ピンチローラー３７はピンチローラーガイド３０に回動可能に保持され、ピンチローラーガイド３０をピンチローラーバネ３１で付勢することで、ピンチローラー３７を搬送ローラー３６に圧接させて記録紙Ｐの搬送力を生み出している。さらに、記録紙Ｐが搬送されてくる送紙部３の入口には記録紙Ｐをガイドする上ガイド３３及びプラテン３４が配設されている。また、上ガイド３３には記録紙Ｐの先端、後端検出をＰＥセンサ−３２に伝えるＰＥセンサーレバー３５が設けられている。
【００３８】
上記構成において、送紙部３に送られた記録紙Ｐはプラテン３４、ピンチローラーガイド３０及び上ガイド３３に案内されて、搬送ローラー３６とピンチローラー３７とのローラー対に送られる。この時、ＰＥセンサ−レバ−３５で搬送されてきた記録紙Ｐの先端を検知して、これにより記録紙Ｐの印字位置を求めている。また、記録紙Ｐは不図示のＬＦモーターによりローラー対３６、３７が回転することでプラテン３４上を搬送される。
【００３９】
なお、記録ヘッド７はインクタンクが着脱可能に構成された交換容易なインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７のノズル７０からインクが吐出されて記録紙Ｐ上に画像が形成される。
【００４０】
（III）キャリッジ部
キャリッジ部５は、記録ヘッド７を取り付けるキャリッジ５０を有している。そしてキャリッジ５０は、記録紙Ｐの搬送方向にたいして直交方向に往復走査させるためのガイド軸８１及びキャリッジ５０の後端を保持して記録ヘッド７と記録紙Ｐとの隙間を維持するガイドレール８２によって支持されている。なお、これらガイド軸８１及びガイドレール８２はシャーシー８に取り付けられている。また、キャリッジ５０はシャーシー８に取り付けられたキャリッジモーター８０によりタイミングベルト８３を介して駆動される。このタイミングベルト８３は、アイドルプーリー８４によって張設、支持されている。さらに、キャリッジ５０には、電気基板９から記録ヘッド７ヘッド信号を伝えるためのフレキシブル基板５６を備えている。
【００４１】
上記構成において、記録紙Ｐに画像形成する時は、画像形成する行位置（記録紙Ｐの搬送方向の位置）にローラー対３６、３７が記録紙Ｐを搬送すると共にキャリッジモーター８０によりキャリッジ５０を画像形成する列位置（記録紙Ｐの搬送方向と直角な位置）に移動させて、記録ヘッド７を画像形成位置に対向させる。その後、電気基板９からの信号により記録ヘッド７が記録紙Ｐに向けてインクを吐出して画像が形成される。
【００４２】
また、キャリッジ５０への記録ヘッド７の着脱や、記録ヘッド７へのインクタンクの着脱は、不図示の操作キーを押すとキャリッジ５０が所定の位置へ移動し、その位置で各着脱操作を行うようになっている。
【００４３】
（IV）クリ−ニング部
クリーニング部６は、記録ヘッド７のクリーニングを行うポンプ６０と記録ヘッド７の乾燥を抑えるためのキャップ６１及び搬送ローラー３６からの駆動力を給紙部２及びポンプ６０にきり換える駆動切り替えアーム６２から構成されている。駆動切り替えアーム６２が給紙、クリーニング以外の時は、搬送ローラー３６の軸心を中心に回転する遊星ギア（不図示）を所定位置に固定しているので、給紙部２及びポンプ６０に駆動力は伝達されない。キャリッジ５０が移動することで、駆動切り替えアーム６２を矢印Ａ方向に移動させると、遊星ギアがフリーになるので搬送ローラー３６の正転、逆転に応じて遊星ギアが移動し、搬送ローラー３６が正転したときは給紙部２に駆動力が伝達され、逆転したときはポンプ６０に駆動力が伝達されるようになっている。
【００４４】
（Ｖ）排紙部
排紙部４には２本の排紙ローラー４１，４１Ａが設けられ、搬送ローラー３６と排紙ローラー４１に当設する伝達ローラー４０と排紙ローラー４１と排紙ローラー４１Ａに当設する伝達ローラー４０Ａが設けられている。従って、搬送ローラー３６の駆動力が伝達ローラー４０を介して排紙ローラー４１に伝達され、伝達ローラー４１Ａによって排紙ローラー４１Ａに伝達される。
【００４５】
また、排紙ローラー４１、４１Ａに従動して回転可能な如く拍車４２、４２Ａが排紙ローラー４１、４１Ａに当接され、拍車４２、４２Ａにはクリーニングローラー４４が回転可能に当接されている。以上の構成によって、キャリッジ部５で画像形成された記録紙Ｐは、排紙ローラー４１、４１Ａと拍車４２、４２ａとに挟まれ、搬送されて排紙トレイ１００に排出される。
【００４６】
次に本発明に係る形態の異なる被記録媒体であるＣＤ（コンパクトディスク）の搬送、記録に関する構成及び動作を図３〜図１５を用いて説明する。
【００４７】
図３はプリンタ本体にＣＤユニット１０１を取付けた状態、図４は記録媒体であるＣＤを装着したトレイをセットした状態、図５はプリンタ本体のＣＤユニット１０１との嵌合部を示す図、図６はＣＤユニットの側面図、図７はプリンタ本体にＣＤユニットが装着された側面からの断面図、図８はトレイのセット状態を示す側面図、図９、図１０はＣＤのセット状態を示す斜視図、図１１は図１０においてＸ方向から見た断面図で、図１２はトレイのセット状態を示す側面からの断面図、図１３はＣＤへの印刷開始状態を示す側面からの断面図、図１４はＣＤへの印刷終了時を示す上面図、図１５はトレイと搬送ローラーの係合を示す側面図である。
【００４８】
尚、以下に説明する下ケース９９とトレイガイド１０３の嵌合部側面及びスライドカバー１０２の側面は左右同形状であり、フック１０４、アーム１０５はトレイガイド１０３の左右側面にそれぞれ取付けられたものである。
【００４９】
図３、４において、ＣＤユニット１０１を図に記載の矢印Ｙ方向にまっすぐスライドさせると、後述の下ケース９９に装着される。
【００５０】
そして、スライドカバー１０２をプリンタ本体方向へ移動させると開口部１０２ａが現れ、ＣＤを装着したトレイ１０６を開口部１０２ａから挿入し、所定位置にセットし、プリント動作開始となる。
【００５１】
ここで、後述するが、スライドカバー１０２は斜め方向に移動可能であり、スライドカバー１０２をプリンタ本体方向へ移動させない状態では、開口部１０２ａは閉ざされているため、トレイ１０６は挿入できないようになっている。
【００５２】
これは、後述の拍車ベース４３が上昇されていない状態でトレイ１０６が挿入された場合に、トレイ１０６と拍車４２Ａとが干渉してトレイ１０６先端のトレイシート１１２や拍車４２Ａが破損することを防止するためである。
【００５３】
また、後述するトレイガイド１０３の案内面にはリブ１０３ｆ１〜１０３ｆ５が設けられ、リブ１０３ｆ１〜１０３ｆ５でトレイ１０６を支持することでトレイ１０６との摺動面を限定し、摺動抵抗を減らすことで、搬送性の向上に寄与している。
【００５４】
ＣＤユニット１０１を下ケース９９に装着すると不図示のスイッチによって検出され、ピンチローラーホルダー３０が不図示の駆動源によって回動され、ピンチローラー３７は搬送ローラー３６より離間される。
【００５５】
図５において、下ケース９９には後述のトレイ１０６を支持する支持部材であるトレイガイド１０３に設けた嵌合溝１０３ａ（図６）と嵌合される突起部９９ａが設けられている。
【００５６】
図６、７において、トレイガイド１０３には軸１０３ｂと嵌合する穴１０４ａを有し、軸１０３ｂを中心に回動可能に軸支された樹脂製のフック１０４が設けられている。
【００５７】
フック１０４のトレイガイド１０３への取付けは、側方から穴１０４ａと軸１０３ｂとが嵌合するように行うが、その際、フック１０４のフランジ部１０４ｆとトレイガイド１０３に設けた弾性リブ１０３ｇとが当接するが、弾性リブ１０３ｇの当接部１０３ｈはテーパー形状となっているため、フランジ部１０４ｆはテーパー面を滑りながら当接部１０３ｈは矢印ｃ方向に回動してフック１０４は所定位置に納まる。
【００５８】
そして、当接部１０３ｈは弾性力によって元の位置に戻った後はフランジ部１０４ｆと当接してフック１０４のスラスト方向抜け止めとなる。
【００５９】
フック１０４の一端には薄板形状部１０４ｃが設けられ、トレイガイド１０３に設けられた軸１０３ｃと当接して弾性力を発生しフック１０４の爪部１０４ｂを常に下ケース９９の突起部９９ａ側へ付勢している。
【００６０】
ＣＤユニット１０１をＹ方向へスライドさせるとフック１０４の爪部１０４ｂと突起部９９ａに設けられた切欠き部９９ｂとが嵌合して位置が決まる。
【００６１】
トレイガイド１０３の嵌合溝１０３ａは入口部１０３ａ１が幅広であり、斜面１０３ａ２が形成されるため、下ケース９９の突起部９９ａとの嵌合をスムーズに行うことができる。
【００６２】
また、フック１０４と突起９９ａとの嵌合時にフック１０４は突起９９ａの先端部９９ａ１と当接するが、傾斜部１０４ｅが設けられているため、フック１０４は矢印ａ方向へ回転しながら先端部９９ａ１を乗り越えた後、薄板形状部１０４ｃの弾性力によって爪部１０４ｂは切欠き部９９ｂと嵌合する。
【００６３】
そして、下ケースの先端部９９ａ１がトレイガイド当接面１０３ｉに当接してプリンタ本体へのＣＤユニット１０１のＹ方向の位置が決まる。
【００６４】
ここでフック１０４はポリアセタール等の潤滑性に優れた材質が好ましい。
【００６５】
トレイガイド１０３には案内溝１０３ｄが設けられ、案内溝１０３ｄを摺動するアーム１０５が揺動可能に具備されている。
【００６６】
アーム１０５にはボス１０５ｂが設けられ、ボス１０５ｂはスライドカバー１０２の裏側に設けられた溝部１０２ｄと嵌合している。
【００６７】
スライドカバー１０２にはトレイガイド１０３の案内溝１０３ｅと摺動嵌合するボス１０２ｂ、１０２ｃが設けられ、スライドカバーはボス１０２ｂ、１０２ｃと案内溝１０３ｅとで位置決めされて矢印ｂ方向へ移動可能となっている。
【００６８】
スライドカバー１０２は上述のアーム１０５が接続されているためスライドカバー１０２が矢印ｂ方向へ動作するのに連動してアーム１０５は水平方向へ動作するようになっている。
【００６９】
スライドカバー１０２をプリンタ本体方向へ移動させると、アーム１０５は同様にプリンタ本体方向へ突出し、プラテン３４と拍車４２、４２ａを回転可能に支持する拍車ベース４３との間に入り込み、拍車ベース４３を上昇させ、プラテン３４と拍車ベース４３との間にトレイ１０６が通過できるスペースを形成する。
【００７０】
この際、アーム１０５の先端に形成された傾斜部１０５ａによってアーム１０５はスムーズにプラテン３４と拍車ベース４３との間に入り込むことができる。
【００７１】
また、アーム１０５はプラテン３４と拍車ベース４３との間に入った状態で位置が決まるようになっており、トレイガイド１０３へ収納された状態ではトレイガイド１０３に対しガタを持った構成となっている。
【００７２】
図８〜１１において、トレイ１０６の先端部１０６ｅは搬送ローラー３６とピンチローラー３７との間に入り易いようにテーパー形状となっており、且つマイラーシートやＰＥＴシート等の薄板形状のトレイシート１１２が具備されている。
【００７３】
また、トレイ１０６のＣＤ装着部中心１０６ａにはＣＤの中心部穴と嵌合するトレイ１０６と一体から成る弾性力をもった爪部１０６ｆ１、１０６ｆ２が２ヶ所設けられ、ＣＤの位置決めを行っている。
【００７４】
図１１において、ＣＤ装着部中心１０６ａの上流側及び下流側には傾斜面１０６ｊ１、１０６ｊ２が設けられ、誤ってＣＤを装着しないでトレイ１０６をセットしてしまった場合に、トレイ１０６が搬送されてピンチローラー３７がＣＤ装着部１０６ｉに落ち込んでから装着部中心１０６ａに乗り上げる時や、装着部中心１０６ａからＣＤ装着部１０６ｉへ降下する時にスムーズに行えるようになっている。
【００７５】
１０６ｂ、１０６ｃは、トレイ１０６からＣＤを取り外す際に指を掛けるための穴である。
【００７６】
１０６ｄは、トレイ１０６をセットする時に操作性を良くするための指掛け溝である。
【００７７】
図１１、１５に示すようにトレイ１０６の下面には左右２ヶ所にラック１０６ｔ１、１０６ｔ２が突出して形成されている。
【００７８】
搬送ローラー３６にはラック１０６ｔ１、１０６ｔ２と係合するギア部３６ａ１、３６ａ２が外径より一段下がった小さいピッチ円径で形成されている。
【００７９】
ここで、ギア部３６ａ１、３６ａ２のピッチ円径はＣＤへの記録を高画質なものとするため、トレイ１０６の搬送を精度良く行うための最適な径となっている。
【００８０】
ピンチローラ３７はラック１０６ｔ１、１０６ｔ２とギア部３６ａ１、３６ａ２の係合が外れない程度の微小な圧で押圧もしくは隙間を有して離間するのが好ましく、トレイ１０６の底面は搬送ローラ３６の外径面と当接しないように構成されている。
【００８１】
１０７Ａ、１０７Ｂは、それぞれにコロ１０８Ａ、１０８Ｂを回転可能に軸支するコロホルダーであり、トレイ１０６を略均等に押圧するためにトレイ１０６の左右側端近傍で、搬送時にＣＤと当接しない位置に設けられている。
【００８２】
コロホルダー１０７Ａ、１０７Ｂは一端の両側に軸部１０７Ａａ、１０７Ｂａを有し、軸部１０７Ａａ、１０７Ｂａを中心に回動可能にスライドカバー１０２の軸受部１０２ｅに取付けられており、バネ１１１によって下方へ付勢されている。
【００８３】
１１０は、コロであり、トレイガイド１０３に回転可能に付けられ、不図示のバネによってトレイ１０６を左方へ付勢している。（図１０）
図８、１２は、ＣＤを装着したトレイ１０６をトレイガイド１０３の案内面に挿入して所定位置にセットした側面図であり、トレイ１０６の先端は排紙ローラー４１Ａと係合した位置となっている。
【００８４】
トレイ１０６は上述のバネ１１１の力でコロ１０８Ａ、１０８Ｂによって先端が排紙ローラー４１Ａへ付勢され、側方からコロ１１０によって一方向へ付勢され位置決めされている。
【００８５】
以上の状態から搬送ローラー３６が矢印ＣＣＷ方向に回転すると、排紙ローラー４１Ａも同方向に回転し、トレイ１０６は排紙ローラー４１Ａによって搬送され、トレイ１０６の先端１０６ｅが搬送ローラー３６とピンチローラー３７とで挟持される位置では前述のトレイ１０６のラック１０６ｔ１、１０６ｔ２と搬送ローラー３６のギア部３６ａ１、３６ａ２とが係合され、排紙ローラー４１Ａは不図示の駆動源によってトレイ１０６より離間され、トレイ１０６はのラック１０６ｔ１、１０６ｔ２とギア部３６ａ１、３６ａ２との係合によって不図示のＬＦモーターを駆動源する搬送ローラー３６によってプリンタ装置奥へ所定量搬送される。
【００８６】
ＣＤを装着したトレイ１０６が搬送されると、記録装置側に設けた不図示のセンサによってＣＤ検出動作を行い、ＣＤが検出されると印刷を行い、未検出の場合は印刷動作は行わずトレイ１０６は排出される。
【００８７】
図１３は、記録ヘッド７よる印刷開始状態で、印刷開始時は搬送ローラー３６が矢印ＣＷ方向へ回転し、記録ヘッド７による印刷を行いながらトレイ１０６は搬送ローラー３６によって装置手前へ搬送される。
【００８８】
記録ヘッド７による記録が終了しトレイ１０６は搬送ローラー３６によって所定量搬送されると、排紙ローラー４１Ａは不図示の駆動源によってトレイ１０６へ当接される。
【００８９】
そして、トレイ１０６はラック１０６ｔ１、１０６ｔ２とギア部３６ａ１、３６ａ２とが係合が解除された以降は排紙ローラー４１Ａによって先端１０６ｅが排紙ローラー４１Ａから外れる位置まで搬送される。
【００９０】
以上のように給紙装置２から給紙される通常の被記録媒体である記録シートの搬送経路と排紙口から挿入されて排紙ローラー４１Ａによって搬送されるトレイ１０６の搬送経路とは一部共通の搬送経路となっている。
【００９１】
ここで、図１４に示すようにトレイ１０６の側面の一部には切欠き１０６ｇが設けられ、切欠き１０６ｇ範囲ではトレイ１０６はコロ１１０と当接せず、コロ１１０の側圧を受けないようになっている。
【００９２】
図においてはＣＤへの印刷終了時を示しており、印刷開始時はトレイ１０６はさらに上流側に位置している。
【００９３】
従って、印刷開始〜印刷終了の間において、すなわちトレイ１０６が搬送ローラー３６とピンチローラー３７とで挟持されている時は、コロ１１０の側圧を受けないようになっている。
【００９４】
また、切欠き開始位置１０６ｈはトレイ１０６の変動を考慮してコロ１１０の側圧を徐々に逃がすために斜面としてある。
【００９５】
ＣＤへの印刷終了後は、トレイ１０６を取出し、スライドカバー１０２を手前へ移動させ図３の状態となるが、さらにスライドカバー１０２を手前へ移動させると、図７に示すアーム１０５に設けた突起１０５ｃとフックの凸部１０４ｄとが係合し、フック１０４が矢印ａ方向に回転し、爪部１０４ｂと切欠き部９９ｂとの嵌合が外れ、トレイガイド１０３と下ケース９９との嵌合が外れ、ＣＤユニットはプリンタ本体から離脱される。
【００９６】
図１４、１５に示すように本実施例において、ピンチローラー３７はトレイ１０６を幅方向全域で最適圧で押さえているが、ラック１０６ｔ１、１０６ｔ２の直上部分、２ヶ所だけ押さえるようにしても良い。
【００９７】
さらに、ラック１０６ｔ１、１０６ｔ２とギア部３６ａ１、３６ａ２との係合が外れなければ、ピンチローラー３７はトレイ１０６の上面との間に隙間をもたせて配置しても良い。
【００９８】
（実施例２）
本実施例に示す記録装置はトレイ１０６の下面には左右２ヶ所に突起１０６ｕ１、１０６ｕ２が形成されている。
【００９９】
搬送ローラー３６には突起１０６ｕ１、１０６ｕ２と当接する部分に高摩擦部材であるゴムやエラストマから成る当接部材３６ｂ１、３６ｂ２が形成され、当接部は搬送ローラー３６の外径より一段下がった外径を有して形成されている。
【０１００】
ここで、当接部材３６ｂ１、３６ｂ２の外径はＣＤへの記録を高画質なものとするため、トレイ１０６の搬送を精度良く行うための最適な径となっている。
【０１０１】
ピンチローラ３７はトレイ１０６を精度良く搬送するための最適な圧で押圧しており、トレイ１０６の底面は搬送ローラ３６の外径面と当接しないように構成されている。
【０１０２】
従って、トレイ１０６は突起１０６ｕ１、１０６ｕ２と当接部材３６ｂ１、３６ｂ２とがピンチローラー３７の圧によって当接することで搬送ローラー３６によって搬送されるものである。
【０１０３】
以下、その動作については第１の実施例述べたものと略同様である。
【０１０４】
（実施例３）
本実施例に示す記録装置は図１７、１８に示すようにトレイ１０６は排紙ローラー４１Ａと圧接ローラー１１３とで狭持されて搬送されるものである。
【０１０５】
図１７は、ＣＤを装着したトレイ１０６をトレイガイド１０３の案内面に挿入して所定位置にセットした側面図であり、トレイ１０６の先端は排紙ローラー４１Ａと係合した位置となっている。
【０１０６】
ＣＤユニット１０１を下ケース９９に装着すると不図示のスイッチによって検出され、搬送ローラー３６及びピンチローラーホルダー３０が不図示の駆動源によって回動され、搬送ローラー３６及びピンチローラーホルダー３０は搬送されるトレイ１０６と接しない位置へ離間される。
【０１０７】
本実施例ではトレイ１０６を上側から圧接ローラー１１３で押圧するが、給紙装置２から給紙される通常の被記録媒体である記録シートＰへ印刷する時は記録シートＰを拍車４２で上から押圧し、トレイ１０６を搬送する時は圧接ローラー１１３で押圧するようになっており、ＣＤユニット１０１を下ケース９９へ装着することで不図示の駆動源によって拍車４２と圧接ローラー１１３とが切り換えられるようになっている。
【０１０８】
排紙ローラー４１Ａが矢印ＣＣＷ方向に回転すると、トレイ１０６は排紙ローラー４１Ａによってプリンタ装置奥へ所定量搬送され、記録装置側に設けた不図示のセンサによってＣＤ検出動作を行い、ＣＤが検出されると印刷を行い、未検出の場合は印刷動作は行わずトレイ１０６は排出される。
【０１０９】
図１８は、記録ヘッド７よる印刷開始状態を示す図で、印刷開始時は排紙ローラー４１Ａが矢印ＣＷ方向へ回転し、記録ヘッド７による印刷を行いながらトレイ１０６は排紙ローラー４１Ａによって装置手前へ搬送される。
【０１１０】
記録ヘッド７による記録が終了した後トレイ１０６は排紙ローラー４１Ａによって所定量搬送され排紙される。
【０１１１】
以下、その動作については第１の実施例述べたものと略同様である。
【０１１２】
ここで、本実施例では一般に厚さ２ｍｍ〜３ｍｍであるトレイ１０６を搬送するものとしたが、ボード紙やファインアート紙等の厚紙を直接搬送するようにしても良い。
【０１１３】
排紙ローラ４１Ａの端部にエンコーダを設け、排紙ローラ４１Ａの回転を制御すれば厚紙を最適な送り量で搬送することができ、高画質な記録を行うことができる。
【０１１４】
ここで、実施例１〜３においてインクジェット記録装置を例にあげて説明したが、インクジェット以外の溶融型や昇華型等の熱転写方式の記録装置であっても良い。
【図面の簡単な説明】
【０１１５】
【図１】本発明のインクジェット記録装置の一実施例の全体構成を示す斜視図である。
【図２】本発明のインクジェット記録装置の一実施例の側面からの構成断面図である。
【図３】本発明に係わる記録装置のプリンタ本体にＣＤユニットを取付けた状態を示す斜視図である。
【図４】本発明に係わる記録装置の記録媒体であるＣＤをセットした状態を示す斜視図である。
【図５】本発明に係わる記録装置のプリンタ本体のＣＤユニットとの嵌合部を示す斜視図である。
【図６】本発明に係わる記録装置のＣＤユニットの側面図である。
【図７】本発明に係わる記録装置のプリンタ本体にＣＤユニットが装着された側面からの断面図である。
【図８】本発明に係わる記録装置のＣＤのセット状態を示す側面図である。
【図９】本発明に係わる記録装置のＣＤのセット状態を示す斜視図である。
【図１０】図９の部分拡大図である。
【図１１】本発明に係わる記録装置の図１０におけるＸ方向から見た断面図である。
【図１２】本発明に係わる記録装置のＣＤのセット状態を示す側面からの断面図である。
【図１３】本発明に係わる記録装置のＣＤへの印刷開始状態を示す側面からの断面図である。
【図１４】本発明に係わる記録装置のＣＤへの印刷終了時を示す上面図である。
【図１５】本発明に係わる記録装置のトレイと搬送ローラーの係合を示す側面図である。
【図１６】その他の実施例のトレイと搬送ローラーの係合を示す側面図である。
【図１７】さらにその他の実施例のトレイ１０６を所定位置にセットした側面図である。
【図１８】図１７をやや拡大した図である。
【符号の説明】
【０１１６】
１  記録装置
２  給紙部
３  送紙部
４  排紙部
５  キャリッジ部
６  クリーニング部
７  記録ヘッド
８  シャーシ
２０  ベース
２１  圧板
２２  給送回転体
２４  圧板バネ
３０  ピンチローラーホルダー
３４  プラテン
３６  搬送ローラー
３６ａ１、３６ａ２  ギア部
３６ｂ１、３６ｂ２  高摩擦部材
３７  ピンチローラー
４０  伝達ローラー
４０Ａ  伝達ローラー
４１  排紙ローラー
４１Ａ  排紙ローラー
４２  拍車
４２Ａ  拍車
４３  拍車ベース
５０  キャリッジ
８１  ガイド軸
９９  下ケース
９９ａ  突起部
９９ａ１  先端部
９９ｂ  切欠き部
１０１  ＣＤユニット
１０２  スライドカバー
１０２ａ  開口部
１０２ｂ、１０２ｃ  ボス
１０２ｄ  溝部
１０２ｅ  軸受部
１０３  トレイガイド
１０３ａ  嵌合溝
１０３ａ１  入口部
１０３ａ２  斜面
１０３ｂ  軸
１０３ｃ  軸
１０３ｄ  案内溝
１０３ｅ  案内溝
１０３ｆ１〜１０３ｆ５  リブ
１０３ｇ  弾性リブ
１０３ｈ  当接部
１０３ｉ  当接面
１０４  フック
１０４ａ  穴
１０４ｂ  爪部
１０４ｃ  薄板形状部
１０４ｄ  凸部
１０４ｅ  傾斜部
１０４ｆ  フランジ部
１０５  アーム
１０５ａ  傾斜部
１０５ｂ  ボス
１０５ｃ  突起
１０６  トレイ
１０６ａ  ＣＤ装着部中心
１０６ｂ、１０６ｃ  指掛け穴
１０６ｄ  指掛け溝
１０６ｅ  先端部
１０６ｆ１、１０６ｆ２  爪部
１０６ｇ  切欠き
１０６ｈ  切欠き開始位置
１０６ｉ、１０６ｉＡ、１０６ｉＢ  ＣＤ装着部
１０６ｊ１、１０６ｊ２  傾斜面
１０６ｋ１〜１０６ｋ５  巾広リブ
１０６ｌ  リブ
１０６ｍ  リブ
１０６ｎ  リブ
１０６ｏ  ＣＤ検出用穴
１０６ｐ１、１０６ｐ２、１０６ｑ１、１０６ｑ２  マーク
１０６ｓ  穴
１０６ｔ１、１０６ｔ２  ラック穴
１０６ｕ１、１０６ｕ２  突起
１０７Ａ、１０７Ｂ  コロホルダー
１０７Ａａ、１０７Ｂａ  軸部
１０８Ａ、１０８Ｂ  コロ
１１０  コロ
１１１  バネ
１１２、１１２-1、１１２-2  トレイシート
１１３  圧接ローラー
【図１】
2006192596.tif 000003
【図２】
2006192596.tif 000004
【図３】
2006192596.tif 000005
【図４】
2006192596.tif 000006
【図５】
2006192596.tif 000007
【図６】
2006192596.tif 000008
【図７】
2006192596.tif 000009
【図８】
2006192596.tif 000010
【図９】
2006192596.tif 000011
【図１０】
2006192596.tif 000012
【図１１】
2006192596.tif 000013
【図１２】
2006192596.tif 000014
【図１３】
2006192596.tif 000015
【図１４】
2006192596.tif 000016
【図１５】
2006192596.tif 000017
【図１６】
2006192596.tif 000018
【図１７】
2006192596.tif 000019
【図１８】
2006192596.tif 000020